(57)【要約】  本発明は、記録可能な多層のDVDディスクに情報を記録する方法及び装置であって、第１情報層上の書き込まれた情報を含むとみなされる領域が、第２情報層上の書き込まれた情報を含むとみなされる領域と実質的に等しいように、情報が前記ディスクにインクリメンタルに記録される方法及び装置に関する。しかしながら、書き込まれた情報を含むとみなされる領域は、情報が記録されていない領域を有してもよい。このようにして、DVD-ROMプレーヤが記録情報を取り出すことが出来る記録可能なディスクが作成される。【特許請求の範囲】
【請求項１】
記録可能な多層の記録担体に情報を記録する方法であり、前記記録担体が、前記情報を記憶するための第１情報層及び第２情報層を有する方法であって、前記第１情報層上の書き込まれた情報を含むとみなされる領域が、前記第２情報層上の書き込まれた情報を含むとみなされる領域と実質的に等しいように、情報がディスクにインクリメンタルに記録される方法。
【請求項２】
前記第１情報層上の書き込まれた情報を含むとみなされる領域、及び／又は前記第２情報層上の書き込まれた情報を含むとみなされる領域が、情報が記録されていない領域を有する請求項１に記載の方法。
【請求項３】
請求項１又は２に記載の方法を実行する働きをする、記録可能な多層の記録担体に情報を記録する記録装置。
【発明の詳細な説明】
【技術分野】
【０００１】
本発明は、２層DVDディスクなどの記録可能な多層記録担体に情報を記録する方法に関する。更に、本発明は、上記の方法が実施される記録装置に関する。
【背景技術】
【０００２】
DVD-ROMディスクはよく知られている。この読出し専用のタイプの記録担体は、例えばデジタル符号化した動画などの大量の情報を記憶するのに用いられる。もっと大量の情報を記憶することが出来るよう、記録担体は、多数の情報層、即ち、情報が光学的に検出可能な領域の形で記憶される層を有し得る。２つのこのような情報層を有する２層DVD-ROMディスクは、現在よく知られている。
【０００３】
(DVD+Rなどの)追記型と、(DVD+R/Wなどの)書換型との両方の記録可能なDVDディスクは、大量の情報を記録するのに用いられる。最近、これらの記録可能なDVDディスクの２層バージョンが売り出されている。このような２層ディスクは、一般にL0層及びL1層と呼ばれる２つの情報層を有する。L0層は、ディスクの、情報の読出し及び／又は記録に用いられるレーザビームなどの放射線ビームがディスクに入る面の最も近くに配置される情報層である。
【０００４】
情報は、規格と呼ばれる文書に記載されている一般にフォーマットと呼ばれる特定の規則及びレイアウトに基づいてこれらの記録担体に記憶される。
【０００５】
２層の記録可能なDVDディスクに記録された情報が、DVD-ROMプレーヤにおいて必ずしも誤りなしには再生され得ないのは問題である。この所謂互換性問題は、既にDVD-ROMプレーヤの大きな設置基盤(large installed base)が世界中で利用可能であることから、とりわけ問題である。  
【発明の開示】
【発明が解決しようとする課題】
【０００６】
本発明の目的は、２層の記録可能なDVDディスクを、該２層の記録可能なDVDディスクがDVD-ROMプレーヤにおいて誤りなしに再生され得るように記録する方法を提供することにある。前記DVD-ROMプレーヤは、例えばパソコン（PC）内に取り付けられるプレーヤであってもよく、又はスタンドアロンのDVD-ROMプレーヤであってもよい。
【課題を解決するための手段】
【０００７】
この目的は、層L0に書き込まれる情報の量が、層L1に書き込まれる情報の量と実質的に等しいように、情報が前記ディスクにインクリメンタルに記録される本発明による方法によって達成される。
【発明を実施するための最良の形態】
【０００８】
互換性問題は、２つの場合、即ち、１）完全に１つの情報層にしかデータが配置されていない場合、又は２）層L0が完全に満たされ、層L1が部分的にしか満たされないようにして両方の層にデータが配置されている場合に生じることが分かった。これらの２つの場合は、１）DVD-ROM規格が、情報層L0上の情報領域は、情報層L1上の情報領域と略々同じ大きさでなければならないと明記しており、且つ／又は２）ドライブが、（ディスクの外側に位置する）情報層L1の始端にアクセスする場合、前記ドライブは、まず、層L0から層L1にジャンプし、次いで、そのトレイを動かすであろうが、層L1上の、前記ドライブがジャンプする領域が書き込まれていない場合には、ドライブが十中八九クラッシュするであろうことから、現在のDVD-ROM規格に対応しないようだ。
【０００９】
本発明の一態様によれば、この互換性問題は、記録可能なDVDディスクのフォーマットを、情報を記録する方法が、層L0に書き込まれる情報の量が、層L1に書き込まれる情報の量と実質的に等しいようにインクリメンタルに該ディスクを情報で満たす可能性を持つように修正することによって解決される。
【００１０】
現在のフォーマットは、一旦、層L1に情報が書き込まれ、層L1上の書き込まれた領域が、層L0上の書き込まれた領域とちょうど同じ大きさになったら、ディスクが一杯だとみなされ、これ以上は情報が付加され得ないことから、このようなインクリメンタルに満たすプロセスをサポートしていない。これは、論理アドレスが、層L0上のユーザデータ領域（図１参照）の始端において零であり、ミドルゾーンまでの層L0の終端まで直線的に増大するからである。その場合、レイヤジャンプ後、前記論理アドレスは、層L1において、ミドルゾーンから始まり、（２つの情報層L0及びL1が概略的に示されている図１においてSClosureと示されている）リードアウトゾーンに向けて直線的に増大する。従って、層L0上と層L1上との両方の前記ミドルゾーン内のブロックの全てが無駄にされる（即ち、情報を記録するのに利用できない）。好ましくは、これらのブロックは、情報を記録するのに利用可能であるべきである。
【００１１】
前記フォーマットにおける根本的な障害は、情報をフラグメント単位及びセッション単位（セッションは、１つ以上のフラグメントから成る）で逐次記録することしか許されないことにある。これは、層L0上の大きな領域を、該領域をフラグメントであると宣言することによって一時的にスキップし得ることを意味する。しかしながら、このようなスキップされたフラグメントは、ディスクがクローズされる前に完全に書き込まれなければならない。これは、セッションをクローズする前にセッション内の全てのフラグメントがクローズされなければならず、全てのセッションがクローズされている記録可能なディスク（即ち、クローズディスク(closed disc)）しかDVD-ROM規格に適合しないからである。 
【００１２】
本発明の一態様によれば、フラグメントは、セッションを閉じた後にオープンなままであることを許される。セッションを閉じた後にフラグメントがオープンなままであることを許すことによって、それは、特別なタイプのフラグメントにされる。それ故、それは、階層型フラグメント(Hierarchical Fragment)と呼ばれる。それは、それがフラグメント内に含まれてもよく、それ自身が他のフラグメントを含んでもよいことから階層型と呼ばれる。好ましくは、それは、それ自身が、それが含み得る全てのフラグメント及び階層型フラグメントを記録(register)する（即ち、作成する）のに必要とされる情報の全てを含むフラグメントである。
【００１３】
本発明の実施例によれば、セッションは、図２Ａに示されているようなレイアウトを持ち、フラグメントは、図２Ｂに示されているようなレイアウトを持つ。各セッションは、セッション・リードイン領域(SIntro)から始まり、セッション・リードアウト領域(SClosure)で終わる。 
【００１４】
この場合、階層型フラグメントは、図２Ｃに示されているようなレイアウトを持つ。
前記階層型フラグメントは、リードイン領域(FIntro)から始まり、リードアウト領域(FClosure)で終わる。階層型フラグメントは、他の階層型フラグメントを含み得る。これは、図３Ａに示されているように、物理的に、２層ディスクの２つの層にわたって分布し得る。このような２層ディスクが、単一の線形アドレス領域とみなされる場合、これは、概略的には図３Ｂに示されているように見えるであろう。
【００１５】
従って、階層型フラグメントはセッション内に組み込まれる。これは、ユーザが、セッション内のトラックをオープンなままにしておくことを可能にする。これは、トラックがそれ自身の管理領域を含むために可能である。この場合、ディスクドライブが、何が書き込まれており、何が書き込まれていないのかを読み出すことは可能である。好ましくは、DVD-ROMドライブは、ディスクが挿入される場合に、このようなフラグメントの個数を求め、それらが完全に書き込まれているか否かを決定するために、階層型フラグメント・サーチを行なう。
【００１６】
図４は、３つの階層型フラグメントの階層構造を有する実施例を示している。ディスクは、（左側の）内周部から（右側の）外周部まで線形に満たされることから、それは、DVD-ROM規格に準拠したままである。論理アドレスは、ディスク全体にわたって線形に走る。従って、クローズされたセッション又はクローズされた階層型フラグメント内に、まだ書き込まれていないアドレス領域があり得る。しかしながら、DVD-ROMドライブは、これらの書き込まれてないアドレスによる如何なる問題も持たない。なぜなら、ドライブは、直ちに層間ジャンプをし、或る層の終端に、次の層にジャンプする前に行かないであろうからである。
【００１７】
本発明による装置は、上記の本発明による方法を実行することが出来る。好ましくは、トラックを確保し、該トラックの大きさについて調べ、セッションをクローズするサポートされたコマンドの次に、１）階層型トラックを確保し、２）階層型トラックの情報を取得し、３）階層型トラックをクローズするといったようなコマンドのサポートが実施される。
【００１８】
本発明は、２層の記録担体に関して説明されているが、本発明は、本発明の概念から外れることなしに３つ以上の情報層を有する記録担体にも用いられ得ることに注意されたい。
【図面の簡単な説明】
【００１９】
【図１】２つの情報層L0及びL1が概略的に示す。
【図２Ａ】本発明の実施例によるセッションのレイアウトを示す。
【図２Ｂ】本発明の実施例によるフラグメントのレイアウトを示す。
【図２Ｃ】本発明の実施例による階層型フラグメントのレイアウトを示す。
【図３Ａ】物理的に、２層ディスクの２つの層にわたって分布している階層型フラグメントを示す。
【図３Ｂ】図３Ａに示されているような２層ディスクが単一の線形アドレス領域とみなされる場合の前記階層型フラグメントのレイアウトを概略的に示す。
【図４】３つの階層型フラグメントの階層構造を有する実施例を示す。
【図１】
2007503072.tif 000002
【図２Ａ】
2007503072.tif 000003
【図２Ｂ】
2007503072.tif 000004
【図２Ｃ】
2007503072.tif 000005
【図３Ａ】
2007503072.tif 000006
【図３Ｂ】
2007503072.tif 000007
【図４】
2007503072.tif 000008